(57)【要約】【課題】符号化したコンテンツを送信する場合に、データ量の増加を抑制する技術を提供する。【解決手段】生成部２２は、コンテンツが含まれたコンテンツ用のパケットに他の装置に於いて多重化すべき制御情報用のパケットに対する多重化中の配置が示された配置情報を生成する。処理部２６は、生成部２２において生成した配置情報が含まれたパケットと、コンテンツ用のパケットとを多重化する。出力部２８は、多重化したパケットを出力する。【選択図】図１
2015159469.tif 000002
【特許請求の範囲】
【請求項１】
コンテンツが含まれたコンテンツ用のパケットに他の装置に於いて多重化すべき制御情報用のパケットに対する多重化中の配置が示された配置情報を生成する生成部と、
前記生成部において生成した配置情報が含まれたパケットと、コンテンツ用のパケットとを多重化する処理部と、
前記処理部において多重化したパケットを出力する出力部と、
を備えることを特徴とする多重化装置。
【請求項２】
前記生成部は、同期情報が含まれた同期情報用のパケットに配置情報も含め、
前記処理部は、同期情報用のパケットとコンテンツ用のパケットとを多重化することを特徴とする請求項１に記載の多重化装置。
【請求項３】
前記生成部は、制御情報用のパケットの識別子から、当該識別子を示すためのビット数よりも少ないビット数にて示された別の識別子への変換を実行し、配置情報を生成する際に別の識別子を使用することを特徴とする請求項１または２に記載の多重化装置。
【請求項４】
コンテンツが含まれたコンテンツ用のパケットに多重化すべき制御情報用のパケットであって、かつ制御情報が含まれるべき制御情報用のパケットに対する多重化中の配置が示された配置情報が含まれたパケットと、コンテンツ用のパケットとが少なくとも多重化された複数のパケットを入力する入力部と、
前記入力部において入力した複数のパケットから配置情報を抽出し、配置情報にて示された多重化中の配置へ制御情報用のパケットを挿入する挿入部と、
前記挿入部において挿入した制御情報用のパケットと、コンテンツ用のパケットとを送信する送信部とを備え、
前記入力部において入力した複数のパケットでは、制御情報用のパケットが除外されていることを特徴とする送信装置。
【請求項５】
コンテンツが含まれたコンテンツ用のパケットに多重化すべき制御情報用のパケットであって、かつ制御情報が含まれるべき制御情報用のパケットに対する多重化中の配置が示された配置情報が含まれたパケットと、コンテンツ用のパケットとを多重化してから出力する多重化装置と、
前記多重化装置からのパケットとコンテンツ用のパケットを入力し、送信処理を実行する送信装置とを備え、
前記送信装置は、
配置情報を抽出し、配置情報にて示された多重化中の配置へ制御情報用のパケットを挿入する挿入部と、
前記挿入部において挿入した制御情報用のパケットと、コンテンツ用のパケットとを送信する送信部とを備えることを特徴とする送信システム。
【請求項６】
コンテンツが含まれたコンテンツ用のパケットに他の装置に於いて多重化すべき制御情報用のパケットに対する多重化中の配置が示された配置情報を生成するステップと、
生成した配置情報が含まれたパケットと、コンテンツ用のパケットとを多重化するステップと、
多重化したパケットを出力するステップと、
を備えることを特徴とする多重化方法。
【請求項７】
コンテンツが含まれたコンテンツ用のパケットに多重化すべき制御情報用のパケットであって、かつ制御情報が含まれるべき制御情報用のパケットに対する多重化中の配置が示された配置情報が含まれたパケットと、コンテンツ用のパケットとが少なくとも多重化された複数のパケットを入力するステップと、
入力した複数のパケットから配置情報を抽出し、配置情報にて示された多重化中の配置へ制御情報用のパケットを挿入するステップと、
挿入した制御情報用のパケットと、コンテンツ用のパケットとを送信するステップとを備え、
前記入力するステップにおいて入力した複数のパケットでは、制御情報用のパケットが除外されていることを特徴とする送信方法。
【発明の詳細な説明】
【技術分野】
【０００１】
本発明は、送信技術に関し、特に制御情報とコンテンツとが含まれた信号を送信する多重化装置、送信装置、送信システム、多重化方法、送信方法に関する。
【背景技術】
【０００２】
ＭＰＥＧ２トランスポートストリーム（Ｍｏｖｉｎｇ  Ｐｉｃｔｕｒｅ  Ｅｘｐｅｒｔｓ  Ｇｒｏｕｐ−２  Ｔｒａｎｓｐｏｒｔ  Ｓｔｒｅａｍ：ＭＰＥＧ２−ＴＳ）は、例えばデジタル放送に使用されている。このＴＳ（Ｔｒａｎｓｐｏｒｔ  Ｓｔｒｅａｍ）には、一般的に、無効なヌルパケットが多く含まれている。そのため、無効なヌルパケットの伝送によって、伝送効率が低下する。伝送効率の低下を抑制するために、ヌルパケットを破棄してしまうと、ＰＣＲ（Ｐｒｏｇｒａｍ  Ｃｌｏｃｋ  Ｒｅｆｅｒｅｎｃｅ）パケットの多重位置が変動するので、映像や音声が再生されなくなる。これに対応するために、入力されるＴＳの全てのパケット数がカウントされるとともに、ＰＣＲパケットのカウント値がそのＰＣＲパケットに多重化される。さらに、ヌルパケットが破棄されたＴＳからＰＣＲパケットに多重されたカウント値を抽出し、このカウント値をもとにヌルパケットを補完することによって、ＰＣＲパケットの多重位置が再配置される（例えば、特許文献１）。
【先行技術文献】
【特許文献】
【０００３】
【特許文献１】特開２００７−２５１８７０号公報
【発明の概要】
【発明が解決しようとする課題】
【０００４】
エリアワンセグメント放送とは、地上デジタル放送のひとつであるワンセグメント放送を利用し、放送事業者によって使用される送信電力よりも小さい送信電力によって、狭いエリアに限定的にコンテンツデータを送信するサービスである。このエリアワンセグメント放送には、民生機器に近いコストおよび低ランニングコストで運用されることが要求される。そのため、コンテンツを符号化するためのエンコーダと、ＯＦＤＭ信号を送信するための送信装置とが別に構成され、それらがネットワークにて接続される。さらに、ひとつのエンコーダに対して複数の送信装置が接続可能である。ここで、ネットワークには、データが集中することによって、データトラヒックが増大しやすい。さらに、ネットワークとして、無線ＬＡＮ（Ｌｏｃａｌ  Ａｒｅａ  Ｎｅｔｗｏｒｋ）等の無線通信システムを使用した場合、有線通信システムよりも通信速度が低くなる傾向にある。そのため、符号化されたコンテンツのデータ量の増加を抑制することが要求される。
【０００５】
本発明はこうした状況に鑑みてなされたものであり、その目的は、符号化したコンテンツを送信する場合に、データ量の増加を抑制する技術を提供することである。
【課題を解決するための手段】
【０００６】
上記課題を解決するために、本発明のある態様の多重化装置は、コンテンツが含まれたコンテンツ用のパケットに他の装置に於いて多重化すべき制御情報用のパケットに対する多重化中の配置が示された配置情報を生成する生成部と、生成部において生成した配置情報が含まれたパケットと、コンテンツ用のパケットとを多重化する処理部と、処理部において多重化したパケットを出力する出力部と、を備える。
【０００７】
本発明の別の態様は、送信装置である。この装置は、コンテンツが含まれたコンテンツ用のパケットに多重化すべき制御情報用のパケットであって、かつ制御情報が含まれるべき制御情報用のパケットに対する多重化中の配置が示された配置情報が含まれたパケットと、コンテンツ用のパケットとが少なくとも多重化された複数のパケットを入力する入力部と、入力部において入力した複数のパケットから配置情報を抽出し、配置情報にて示された多重化中の配置へ制御情報用のパケットを挿入する挿入部と、挿入部において挿入した制御情報用のパケットと、コンテンツ用のパケットとを送信する送信部とを備える。入力部において入力した複数のパケットでは、制御情報用のパケットが除外されている。
【０００８】
本発明のさらに別の態様は、送信システムである。この送信システムは、コンテンツが含まれたコンテンツ用のパケットに多重化すべき制御情報用のパケットであって、かつ制御情報が含まれるべき制御情報用のパケットに対する多重化中の配置が示された配置情報が含まれたパケットと、コンテンツ用のパケットとを多重化してから出力する多重化装置と、多重化装置からのパケットとコンテンツ用のパケットを入力し、送信処理を実行する送信装置とを備える。送信装置は、配置情報を抽出し、配置情報にて示された多重化中の配置へ制御情報用のパケットを挿入する挿入部と、挿入部において挿入した制御情報用のパケットと、コンテンツ用のパケットとを送信する送信部とを備える。
【０００９】
本発明のさらに別の態様は、多重化方法である。この方法は、コンテンツが含まれたコンテンツ用のパケットに他の装置に於いて多重化すべき制御情報用のパケットに対する多重化中の配置が示された配置情報を生成するステップと、生成した配置情報が含まれたパケットと、コンテンツ用のパケットとを多重化するステップと、多重化したパケットを出力するステップと、を備える。
【００１０】
本発明のさらに別の態様は、送信方法である。この方法は、コンテンツが含まれたコンテンツ用のパケットに多重化すべき制御情報用のパケットであって、かつ制御情報が含まれるべき制御情報用のパケットに対する多重化中の配置が示された配置情報が含まれたパケットと、コンテンツ用のパケットとが少なくとも多重化された複数のパケットを入力するステップと、入力した複数のパケットから配置情報を抽出し、配置情報にて示された多重化中の配置へ制御情報用のパケットを挿入するステップと、挿入した制御情報用のパケットと、コンテンツ用のパケットとを送信するステップとを備える。入力するステップにおいて入力した複数のパケットでは、制御情報用のパケットが除外されている。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、符号化したコンテンツを送信する場合に、データ量の増加を抑制できる。
【図面の簡単な説明】
【００１３】
【図１】本発明の実施例に係るエリアワンセグメント放送システムの構成を示す図である。
【図２】図１のエンコード部に保持されるテーブルのデータ構造を示す図である。
【図３】図３（ａ）−（ｄ）は、図１のエリアワンセグメント放送システムの比較対象となるシステムにおけるＴＳパケットの配列を示す図である。
【図４】図１の記憶部に保持されるテーブルのデータ構造を示す図である。
【図５】図１の生成部において生成される集約ＰＣＲパケットのデータ構造を示す図である。
【図６】図６（ａ）−（ｂ）は、図１の処理部において生成されるＴＳパケットの配列を示す図である。
【図７】図１の多重化装置による多重化手順を示すフローチャートである。
【図８】図１の送信装置による送信手順を示すフローチャートである。
【図９】図１のエンコード部において生成される別のＡＶパケットのデータ構造を示す図である。
【発明を実施するための形態】
【００１４】
本発明を具体的に説明する前に、まず概要を述べる。本発明の実施例は、エリアワンセグメント放送におけるコンテンツ配信サービスを実現するために、コンテンツが含まれたＯＦＤＭ信号を送信するエリアワンセグメント放送用の放送装置に関する。前述のごとく、放送装置において、エンコーダと送信装置とが別に構成され、それらがネットワークにて接続される。例えば、エンコーダは、ＩＰネットワーク経由でＴＳパケットを送信装置へ送信し、送信装置は、データ放送等を多重してＴＳパケットを送信する。また、このようなエンコーダと送信装置との組合せは、送信システムとも呼べる。
【００１５】
具体的に説明すると、エンコーダは、時分割多重された複数のＴＳパケットを生成する。複数のＴＳパケットには、コンテンツが含まれたＴＳパケット（以下、「コンテンツパケット」という）が含まれる。一方、データ放送のデータを含めるべきＴＳパケット（以下、「データパケット」という）および制御情報を含めるべきＴＳパケット（以下、「制御パケット」という）では、ヘッダのＰＩＤ（Ｐａｃｋｅｔ  ＩＤ）のみ設定され、ペイロードにはＮＵＬＬが含まれる。送信装置は、データパケットおよび制御パケットのペイロードに、送信すべき情報を挿入する。この場合、ネットワークには、無駄なＮＵＬＬが送信されるので、伝送効率が悪化する。一方、エンコーダにおいて、データパケットおよび制御パケットを削除した場合、送信装置は、本来のタイミングにこれらを多重化できなくなる。
【００１６】
これをさらに説明する。コンテンツパケット、データパケット、制御パケットは、規格／運用で定められた必要なレート（間隔）が実現される様に配置されなければならない。特に、受信装置のバッファに対して、オーバーフローやアンダーフローを発生させないように制御されることが要求される。これは、コンテンツパケット、データパケット、制御パケットの順番が重要であり、それを変更することができないことといえる。つまり、ＴＳパケットの伝送量を削減するために、送信装置において後に多重化されるデータパケットおよび制御パケットをエンコーダが削除してネットワークに伝送してしまうと、送信装置では正しいＴＳパケットの順番を復元できなくなってしまう。
【００１７】
これに対応するために、本実施例に係るエンコーダは、一定間隔に埋め込まれたＰＣＲ（Ｐｒｏｇｒａｍ  Ｃｌｏｃｋ  Ｒｅｆｅｒｅｎｃｅ）パケット間における複数のＴＳパケットの順番に関する情報（以下、「配置情報」という）をＰＣＲパケットに含めて出力する。さらに、エンコーダは、データパケットおよび制御パケットを削除する。送信装置は、配置情報をもとに、データパケットおよび制御パケットを本来の順番に多重化する。
【００１８】
図１は、本発明の実施例に係るエリアワンセグメント放送システム１００の構成を示す図である。エリアワンセグメント放送システム１００は、撮像装置１０、多重化装置１２、送信装置１４、受信装置１６を含む。多重化装置１２は、エンコード部２０、生成部２２、記憶部２４、処理部２６、出力部２８を含む。送信装置１４は、入力部５０、第１生成部５２、第２生成部５４、挿入部５６、送信部５８を含む。
【００１９】
撮像装置１０は、映像データと音声データとを取得する。映像データと音声データは、デジタルデータにて構成される。ここで、映像データと音声データは、「ＡＶデータ」と総称され、これはコンテンツに相当する。撮像装置１０は、ＡＶデータを多重化装置１２へ出力する。
【００２０】
エンコード部２０は、撮像装置１０に接続され、撮像装置１０からのＡＶデータを入力する。エンコード部２０は、ＡＶデータに対して符号化を実行する。符号化には、例えば、Ｈ．２６４等が使用される。このような符号化は公知の技術であるので、ここでは説明を省略する。また、エンコード部２０は、時分割多重化された複数のＴＳパケットを生成する。さらに、エンコード部２０は、複数のＴＳパケットのうち、一定の間隔で出現するＴＳパケットを、ＰＣＲ（Ｐｒｏｇｒａｍ  Ｃｌｏｃｋ  Ｒｅｆｅｒｅｎｃｅ）が含まれたＴＳパケット（以下、「ＰＣＲパケット」という）として設定する。ＰＣＲは、送信装置１４と受信装置１６との間で時刻を同期する際の基準となるクロックである。
【００２１】
このようなＰＣＲパケットの出現する間隔は、変調モードに依存する。図２は、エンコード部２０に保持されるテーブルのデータ構造を示す。変調モードの「ＱＰＳＫ（１／２）」は、変調方式がＱＰＳＫ（Ｑｕａｄｒａｔｕｒｅ  Ｐｈａｓｅ  Ｓｈｉｆｔ  Ｋｅｙｉｎｇ）であり、符号化率が１／２であることを示す。また、変調モードの「１６ＱＡＭ（１／２）」は、変調方式が１６ＱＡＭであり、符号化率が１／２であることを示す。以下では、変調モードが「１６ＱＡＭ（１／２）」であるとして説明を進める。図１に戻る。
【００２２】
エンコード部２０は、複数のＴＳパケットのうち、制御情報の送信間隔の規定に応じたＴＳパケットを制御パケットとして設定する。制御情報は、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に相当する。エンコード部２０は、制御パケットのうちのペイロード部分に、制御情報を含めず、ＮＵＬＬを設定する。一方、エンコード部２０は、制御パケットのヘッダを設定する。ここでは、制御情報の種類に応じて、ＰＩＤが設定される。ＰＩＤは、パケット識別子である。なお、制御パケットは、ＰＳＩパケットともいう。
【００２３】
エンコード部２０は、残りのＴＳパケットをコンテンツパケットあるいはデータパケットとして設定する。エンコード部２０は、コンテンツパケットに、符号化したＡＶデータを格納する。なお、コンテンツパケットは、ＡＶパケットともいう。エンコード部２０は、データパケットに対してもＰＳＩパケットと同様に、ヘッダのＰＩＤを設定するとともに、ペイロードをＮＵＬＬに設定する。エンコード部２０は、ＰＣＲパケット、ＰＳＩパケット、ＡＶパケット、データパケットが時分割多重化された複数のＴＳパケットを出力する。
【００２４】
ここでは、本実施例の課題を明確にするために、エリアワンセグメント放送システム１００の比較対象とシステムにおけるＴＳパケットの伝送を説明する。図３（ａ）−（ｄ）は、エリアワンセグメント放送システム１００の比較対象となるシステムにおけるＴＳパケットの配列を示す。図３（ａ）は、時分割多重化された複数のＴＳパケットを示し、これは、エンコード部２０から出力される複数のＴＳパケットと同一である。「ＰＣＲ」は、ＰＣＲパケットを示し、「ＰＳＩ」は、ＰＳＩパケットを示し、「ＤＡＴＡ」は、データパケットを示す。また、「Ａ」は、音声パケットを示し、「Ｖ」は映像パケットを示しており、音声パケットと映像パケットの総称がＡＶパケットである。前述のごとく、ＰＳＩパケットとデータパケットでは、ＰＩＤが設定されているのみで、ペイロードはＮＵＬＬである。
【００２５】
このようなＴＳパケットがＩＰネットワークを介して、送信装置に伝送される。図３（ｂ）は、送信装置においてＰＳＩパケットとデータパケットのＮＵＬＬが所望の情報に置換された複数のＴＳパケットを示す。そのため、ＩＰネットワークでは、無駄なＮＵＬＬが伝送されており、前述のごとく、伝送効率の悪化となる。
【００２６】
図３（ｃ）は、ＩＰネットワークでの伝送効率の悪化を抑制するために、図３（ａ）から、ＰＳＩパケットとデータパケットとを削除した複数のＴＳパケットを示す。このような複数のＴＳパケットには、ＮＵＬＬが含まれないので、複数のＴＳパケットをＩＰネットワークにて伝送しても、無駄な情報は伝送されない。図３（ｄ）は、図３（ｃ）のＴＳパケットに対して送信装置が補間を実行した場合の複数のＴＳパケットを示す。送信装置は、ＰＳＩパケットとデータパケットを挿入すべきタイミングを把握していないので、図示のごとく、最後の部分にまとめて挿入することもある。その結果、送信装置からのＴＳパケットを受信した受信装置において、ＰＳＩパケットに含まれたＰＳＩ／ＳＩを取得するタイミングが、所望のタイミングとは異なってしまう。その結果、受信装置においてＡＶデータの再生がなされなくなる。図１に戻る。
【００２７】
伝送効率の悪化の抑制と、ＰＳＩパケットの配置の維持を目的として、記憶部２４は、次のように構成される。記憶部２４は、ヘッダに含まれたＰＩＤと、ＰＩＤとは別の識別子（以下、「簡易識別子」という）とを対応づけたテーブルを記憶する。図４は、記憶部２４に保持されるテーブルのデータ構造を示す。図示のごとく、簡易識別子とＰＩＤとの対応関係が示される。ここで、簡易識別子は、ＰＩＤを示すためのビット数よりも少ないビット数にて示される。ＰＡＴ（Ｐｒｏｇｒａｍ  Ａｓｓｏｃｉａｔｉｏｎ  Ｔａｂｌｅ）は、ＴＳ内に含まれるプログラム一覧を示し、プログラム一覧は、後述のＰＭＴのＰＩＤ一覧で示される。ＰＩＤは、パケット識別子である。ＰＭＴ（Ｐｒｏｇｒａｍ  Ｍａｐ  Ｔａｂｌｅ）は、プログラムに含まれる映像データや音声データなどの各ＰＩＤを格納する。これらに、ＮＩＴ（Ｎｅｔｗｏｒｋ  Ｉｎｆｏｒｍａｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）等が加えられて、前述のＰＳＩ／ＳＩとされる。図１に戻る。
【００２８】
生成部２２は、エンコード部２０からの複数のＴＳパケットを入力し、各ＴＳパケットのヘッダに含まれたＰＩＤを抽出する。また、生成部２２は、ＴＳパケットの順番と同じ順番に抽出したＰＩＤを並べる。生成部２２は、並べたＰＩＤのそれぞれに対して、記憶部２４に記憶したテーブルを参照しながら、簡易識別子への変換を実行する。そのため、ＴＳパケットの順番と同じ順番に簡易識別子が並べられる。前述のごとく、ＰＣＲパケットを起点として、次のＰＣＲパケットの前のＴＳパケットを終点とした場合、９６個の簡易識別子が並べられる。ここでは、９６個の簡易識別子が並べられた情報を「配置情報」という。つまり、配置情報を生成する際には、簡易識別子が使用されている。図４によれば、ひとつの簡易識別子は、４ビットで示されるので、配置情報は、４８バイトで示される。このような配置情報において、ＮＵＬＬが含まれたＰＳＩパケットの順番が明確である。そのため、配置情報では、ＰＳＩパケットに対する多重化中の配置が示されているといえる。ＡＶパケットおよびデータパケットについても同様である。
【００２９】
また、生成部２２は、ＰＣＲパケットに配置情報も含める。なお、ＴＳパケットは、１８８バイトであるにもかかわらず、ＰＣＲパケットに含まれるべき同期情報であるＰＣＲ値は、６バイトであり、配置情報は、４８バイトである。そのため、ＰＣＲパケットにさらに多くの情報を含めることができる。ここでは、特に、伝送効率のさらなる改善を目的として、生成部２２は、複数のＰＣＲ値をまとめてひとつのＰＣＲパケット（このようなＰＣＲパケットを「集約ＰＣＲパケット」という）に含める。例えば、３つのＰＣＲ値がひとつの集約ＰＣＲパケットに含まれる。なお、ひとつのＰＣＲパケットを起点として配置情報が規定されているので、集約ＰＣＲパケットには、ＰＣＲ値の数と同数の集約情報が含まれる。つまり、生成部２２は、複数のＰＣＲ値のそれぞれが別のＰＣＲパケットに含まれる場合に、各ＰＣＲパケットに含められるべき配置情報もまとめてひとつの集約ＰＣＲパケットに含める。
【００３０】
図５は、生成部２２において生成される集約ＰＣＲパケットのデータ構造を示す。前述のごとく、伝送効率を向上させるために、集約ＰＣＲパケットには、ＰＣＲパケット３間隔分の配置情報が含まれている。具体的に説明すると、先頭に４バイトのヘッダが配置され、６バイトのＰＣＲ値が３つ配置されている。各ＰＣＲ値につづいて、４８バイトの配置情報が配置されている。さらに、２２バイトのダミーが最後に配置されることによって、集約ＰＣＲパケットパケットは、１８８バイトにて構成されている。図１に戻る。生成部２２は、集約ＰＣＲパケット、つまり配置情報が含まれたＴＳパケットを処理部２６へ出力する。
【００３１】
処理部２６は、エンコード部２０からの複数のＴＳパケットを入力するとともに、生成部２２からの集約ＰＣＲパケットを入力する。処理部２６は、各ＴＳパケットのヘッダに含まれたＰＩＤと、集約ＰＣＲパケットに含まれたＰＣＲ値および配置情報とを比較して、複数のＴＳパケットにおけるＰＣＲパケットのうち、集約ＰＣＲパケットに置換すべきＰＣＲパケットを特定する。処理部２６は、特定したＰＣＲパケットを集約ＰＣＲパケットに置換するとともに、残りのＰＣＲパケットを削除する。また、処理部２６は、複数のＴＳパケットのうち、ＰＳＩパケットおよびデータパケットを削除する。つまり、ＰＳＩパケットは、ＡＶパケットに多重化すべきＴＳパケットであるにもかかわらず、多重化の対象から除外されている。このように処理部２６は、配置情報が含まれた集約ＰＣＲパケットと、ＡＶパケットとを多重化する。
【００３２】
図６（ａ）−（ｂ）は、処理部２６において生成されるＴＳパケットの配列を示す。図６（ａ）は、エンコード部２０からの複数のＴＳパケットを示す。これは、図３（ａ）と同じである。図６（ｂ）は、処理部２６において多重化された複数のＴＳパケットを示す。図示のごとく、３つのＰＣＲパケットの代わりに、ひとつの集約ＰＣＲパケットが配置されるとともに、ＰＳＩパケット、ＤＡＴＡパケットが配置されていない。図１に戻る。処理部２６は、多重化した複数のＴＳパケットを出力部２８へ出力する。
【００３３】
出力部２８は、処理部２６からの複数のＴＳパケットを入力する。また、出力部２８は、ネットワークを介して送信装置１４に接続されている。出力部２８は、ネットワークにて規定された形式へ複数のＴＳパケットを変形し、変形したＴＳパケットを送信装置１４へ出力する。ネットワークがＩＰ（Ｉｎｔｅｒｎｅｔ  Ｐｒｏｔｏｃｏｌ）に対応する場合、出力部２８は、複数のＴＳパケットをＩＰパケットの形式に変形する。
【００３４】
入力部５０は、ネットワークを介して多重化装置１２に接続されており、多重化装置１２から、変形されたＴＳパケットを入力する。これは、配置情報が含まれた集約ＰＣＲパケットと、ＡＶパケットとが少なくとも多重化された複数のＴＳパケットである。なお、変形されたＴＳパケットでは、ＰＳＩパケット、ＤＡＴＡパケットが除外されている。集約ＰＣＲパケットのフォーマットは前述の通りであるので、ここでは説明を省略する。入力部５０は、ＩＰパケットに変形されたＴＳパケットをもとに戻すことによって、複数のＴＳパケットを取得する。入力部５０は、複数のＴＳパケットを第１生成部５２、第２生成部５４、挿入部５６へ出力する。
【００３５】
第１生成部５２は、入力部５０からの複数のＴＳパケットを入力する。第１生成部５２は、複数のＴＳパケットのうち、集約ＰＣＲパケットを抽出する。第１生成部５２は、集約ＰＣＲパケットに含まれた複数のＰＣＲ値のそれぞれを含めるように複数のＰＣＲパケットを生成する。前述のごとく、ひとつの集約ＰＣＲパケットには、３つのＰＣＲ値が含まれるので、第１生成部５２は、３つのＰＣＲパケットを生成する。その際、第１生成部５２は、各ＰＣＲパケットに含まれたＰＣＲ値を修正してもよい。なお、ＰＣＲ値の修正については公知の技術が使用されればよいので、ここでは説明を省略する。また、配置情報は、ＰＣＲパケットに含まれない。第１生成部５２は、ＰＣＲパケットを挿入部５６へ出力する。
【００３６】
第２生成部５４は、入力部５０からの複数のＴＳパケットを入力する。第１生成部５２は、複数のＴＳパケットのうち、集約ＰＣＲパケットから配置情報を抽出する。第２生成部５４は、図４に示されたテーブルを記憶しており、テーブルを参照することによって、配置情報に含まれた簡易識別子をＰＩＤに変換する。この変換は、ＰＳＩパケットとデータパケットとを対象にする。第２生成部５４は、変換したＰＩＤをヘッダに格納したＴＳパケットを生成することによって、ＰＳＩパケットとデータパケットとを生成する。その際、第２生成部５４は、ＰＳＩパケットとデータパケットとのペイロードの情報を含めてもよく、情報の代わりにＮＵＬＬを含めてもよい。後者の場合、情報は、後述の挿入部５６において挿入される。第２生成部５４は、ＰＳＩパケットとデータパケットとを挿入部５６へ出力する。
【００３７】
挿入部５６は、入力部５０からの複数のＴＳパケット、第１生成部５２からのＰＣＲパケット、第２生成部５４からのＰＳＩパケットとデータパケットとを入力する。挿入部５６は、第２生成部５４と同様に、複数のＴＳパケットのうち、集約ＰＣＲパケットから配置情報を抽出する。挿入部５６は、配置情報をもとに、ＰＣＲパケット、ＰＳＩパケット、データパケット、ＡＶパケットを並べる。つまり、挿入部５６は、配置情報にて示された多重化中の配置へＰＳＩパケットを挿入する。前述のごとく、配置情報には、ＰＩＤをヘッダから変換された簡易識別子が使用され、挿入部５６は、簡易識別子から変換されたＰＩＤが使用されたＰＳＩパケットを挿入する。挿入部５６は、ＰＳＩパケット等の挿入後の複数のＴＳパケットを送信部５８へ出力する。
【００３８】
送信部５８は、挿入部５６からの複数のＴＳパケット、つまりＡＶパケットと、挿入部５６において挿入されたＰＣＲパケット、ＰＳＩパケット、データパケットとを入力する。送信部５８は、エリアワンセグメント放送システム１００にて規定された形式へ複数のＴＳパケットを変形（伝送符号化）することによって、ＯＦＤＭ信号を生成する。送信部５８は、ＯＦＤＭ信号をアンテナから送信する。
【００３９】
受信装置１６は、送信装置１４からのＯＦＤＭ信号を受信する。受信装置１６は、受信したＯＦＤＭ信号を処理することによって、ＡＶデータに含まれた映像データ、音声データを再生する。受信装置１６には公知の技術が使用されればよいので、ここでは、説明を省略する。なお、ここでは、ひとつの受信装置１６が示されているが、エリアワンセグメント放送システム１００には、複数の受信装置１６が含まれてもよい。
【００４０】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４１】
以上の構成によるエリアワンセグメント放送システム１００の動作を説明する。図７は、多重化装置１２による多重化手順を示すフローチャートである。生成部２２は、ＴＳパケットを入力する（Ｓ１０）。生成部２２は、ＰＳＩパケット等のＰＩＤを変換して、配置情報を生成する（Ｓ１２）。生成部２２は、集約ＰＣＲパケットを生成する（Ｓ１４）。出力部３０は、多重化した複数のＴＳパケットを出力する（Ｓ１６）。
【００４２】
図８は、送信装置１４による送信手順を示すフローチャートである。入力部５０は、多重化された複数のＴＳパケットを入力する（Ｓ２０）。第２生成部５４は、配置情報をもとに、ＰＳＩパケットを復元する（Ｓ２２）。送信部５８は、ＯＦＤＭ信号を送信する（Ｓ２４）。
【００４３】
図９は、エンコード部２０において生成される別のＡＶパケットのデータ構造を示す。ここまでは、ＡＶパケットして、ＭＰＥＧ−２  ＴＳにて規定された１８８バイトのＴＳパケットが使用されている。ここでは、伝送効率をさらに向上させるために、ＡＶパケットを１８６バイトにする際のフォーマットを説明する。ＭＰＥＧ−２  ＴＳの１８８バイト形式では、４バイトのヘッダが配置される。その内訳は、同期コード１バイト、トランスポートエラー表示１ビット、ペイロードユニット開始１ビット、トランスポートプライオリティ１ビット、ＰＩＤ１３ビット、トランスポートスクランブル制御２ビット、アダプテーションフィールド制御２ビット、コンティニュイティカウンタ４ビットである。
【００４４】
ヘッダに含まれたこれらの情報のうち、本実施例で特に必要な情報は、同期コード１バイト、ペイロードユニット開始１ビット、トランスポートプライオリティ１ビット、アダプテーションフィールド制御２ビットである。そのため、受信機が受信時の誤りを示すトランスポートエラー表示１ビット、ＰＩＤ１３ビット、コンティニュイティカウンタ４ビットは不要であるので、削除される。その代わりに、パケット種別２ビットが追加される。ペイロード１８４バイトはそのまま伝送するのでストリーム長は１８６バイトになる。
【００４５】
本発明の実施例によれば、ＰＳＩパケットに対する多重化中の配置が示された配置情報を出力するので、ＰＳＩパケットが出力されなくても、ＰＳＩパケットを復元できる。また、ＰＳＩパケットが出力されないので、符号化したコンテンツを送信する場合に、データ量の増加を抑制できる。また、ＰＣＲパケットに配置情報を含めるので、配置情報を周期的に出力できる。また、ＰＣＲパケットに配置情報を含めるので、伝送効率を向上できる。また、ＰＣＲパケットをまとめて集約ＰＣＲパケットを生成するので、伝送効率をさらに向上できる。また、配置情報を生成する際に、ＰＩＤを簡易識別子に変換するので、データ量を低減できる。また、配置情報を入力するので、ＰＳＩパケットを入力しなくても、ＰＳＩパケットを本来の位置に配置できる。また、ＰＳＩパケットが本来の位置に配置されるので、受信装置においてＡＶデータを再生できる。
【００４６】
また、集約ＰＣＲパケットを使用する場合、ＰＳＩパケットのレートを３６ｋｂｐｓ、データパケットのレートを７３ｋｂｐｓであれば、ＩＰネットワークによるエンコーダから送信機への伝送レートを約３０７ｋｂｐｓにできる。変調モードがＱＰＳＫ（２／３）の場合、ＴＳパケットが１８８バイトであると、全体のレートは約４１６ｋｂｐｓとなるが、１８８バイト形式を１８６バイト形式にするので、伝送されるデータのレートは３０７×（１８６／１８８）＝３０４ｋｂｐｓにできる。また、従来技術（約４１６ｋｂｐｓ）と比較して、本実施例による伝送レートは、約７３％（３０４／４１６）に削減できる。また、比較的離れた中継地点間の距離（数キロ〜十数キロ）で無線ＬＡＮを使用すると、伝送レートが３Ｍｂｐｓになるので、その無線ＬＡＮによる中継では送信装置が６台しか接続できないが、９台接続できるようになり伝送効率を上げることができる。
【００４７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４８】
本発明の実施例において、エリアワンセグメント放送システム１００、送信装置１４は、ワンセグメント放送を実行している。しかしながらこれに限らず例えば、これらは、複数のセグメント放送を実行してもよい。複数のセグメント放送の一例は、フルセグメント放送、３セグメント放送である。本変形例によれば、さまざまな放送に本発明を適用できる。
【００４９】
本発明の実施例において、エリアワンセグメント放送システム１００では、ひとつの多重化装置１２にひとつの送信装置１４が接続されている。しかしながらこれに限らず例えば、ひとつの多重化装置１２に複数の送信装置１４が接続されていてもよい。本変形例によれば、エリアワンセグメント放送システム１００の構成の自由度を向上できる。
【００５０】
本発明の実施例において、多重化装置１２は、配置情報を含めた集約ＰＣＲパケットを出力している。しかしながらこれに限らず例えば、多重化装置１２は、配置情報を含めたＰＣＲパケットを出力してもよい。本変形例によれば、集約ＰＣＲパケットが規定されていなくても、本実施例を適用できる。
【００５１】
本発明の実施例において、多重化装置１２は、配置情報を含めた集約ＰＣＲパケットを出力している。しかしながらこれに限らず例えば、多重化装置１２は、集約ＰＣＲパケットあるいはＰＣＲパケットとは別のＴＳパケットに配置情報を含めてもよい。本変形例によれば、エリアワンセグメント放送システム１００の構成の自由度を向上できる。
【００５２】
本発明の実施例において、多重化装置１２は、ＰＩＤを簡易識別子に変換し、簡易識別子をもとに配置情報を生成している。しかしながらこれに限らず例えば、多重化装置１２は、ＰＩＤをもとに配置情報を生成してもよい。本変形例によれば、変換処理を省略できる。
【符号の説明】
【００５３】
１０  撮像装置、  １２  多重化装置、  １４  送信装置、  １６  受信装置、  ２０  エンコード部、  ２２  生成部、  ２４  記憶部、  ２６  処理部、  ２８  出力部、  ５０  入力部、  ５２  第１生成部、  ５４  第２生成部、  ５６  挿入部、  ５８  送信部、  １００  エリアワンセグメント放送システム。
【図１】
2015159469.tif 000003
【図２】
2015159469.tif 000004
【図３】
2015159469.tif 000005
【図４】
2015159469.tif 000006
【図５】
2015159469.tif 000007
【図６】
2015159469.tif 000008
【図７】
2015159469.tif 000009
【図８】
2015159469.tif 000010
【図９】
2015159469.tif 000011